(57)【特許請求の範囲】
【請求項１】
植物栽培液が収容可能なトレイ（１１）と前記トレイの上部に載置される定植パネル（３０）とよりなる水耕栽培用プランターにおいて、
前記トレイ（１１）は、プラスチックシートから形成され、底面（１２）と該底面の周縁から起立した側壁（１３）を有し、前記底面（１２）には上方へ向けて屈曲形成された複数のリブ（１５）が設けられると共に、前記底面（１２）の縁に排水孔（２５）が形成され、
前記定植パネル（３０）は、プラスチックシートから形成された上側シート（４１）と下側シート（５１）とが積層されて張り合わされた複合体で構成され、周縁で前記トレイ（１１）の側壁（１３）上端に載置される大きさを有し、
前記上側シート（４１）は、周縁が貼り合わせ用周縁部（４１Ａ）とされ、前記上側シート（４１）の貼り合わせ用周縁部（４１Ａ）よりも内側には、一端側に給水孔（４３）を有すると共に、複数位置に下方へ突出した定植用筒部（４５）が形成され、
前記下側シート（５１）は、周縁に前記上側シートの貼り合わせ用周縁部（４１Ａ）と当接する下側シートの貼り合わせ用周縁部（５２）を有し、前記下側シートの貼り合わせ用周縁部（５２）で包囲された内側部分には、前記上側シートの給水孔（４５）の位置に給水用開口部（５２Ａ）が形成されると共に、前記給水用開口部（５２Ａ）を除く部分に下方へ窪んだ凹部（５３）が形成され、前記凹部（５３）の底面（５４）には、前記上側シート（４１）の前記定植用筒部（４５）と対応する複数位置に、上向きに突出して前記上側シート（４１）の下面（４７）と当接する天面（５７）に定植用筒部挿入孔（５８）を有する凸部（５６）が屈曲形成され、
前記上側シート（４１）の前記定植用筒部（４５）が前記下側シート（５１）の凸部（５６）の天面（５７）における前記定植用筒部挿入孔（５８）に挿入され、前記下側シート（５１）の凸部（５６）の天面（５７）における前記定植用筒部挿入孔（５８）の周縁で前記上側シート（４１）の下面（４７）と接着されると共に、前記上側シート（４１）の貼り合わせ用周縁部（４１Ａ）と前記下側シート（５１）の貼り合わせ用周縁部（５２）が接着されていることを特徴とする水耕栽培用プランター。
【請求項２】
前記定植パネル（３０）が前記トレイ（１１）の上部に載置された際に、前記下側シート（５１）の凹部（５３）の底面（５４）が前記トレイ（１１）の底面（１２）のリブ（１５）の頂部と当接して支持されることを特徴とする請求項１に記載の水耕栽培用プランター。
【請求項３】
前記定植パネル（３０）は、前記上側シート（４１）が白色からなり、前記下側シート（５１）が黒色からなることを特徴とする請求項１又は２に記載の水耕栽培用プランター。
【請求項４】
前記トレイ（１１）と前記上側シート（４１）及び前記下側シート（５１）には紫外線吸収剤と抗菌剤が含有されていることを特徴とする請求項１から３の何れか一項に記載の水耕栽培用プランター。
【請求項５】
前記トレイ（１１）と前記上側シート（４１）及び前記下側シート（５１）は真空成形品からなることを特徴とする請求項１から４の何れか一項に記載の水耕栽培用プランター。
【発明の詳細な説明】
【技術分野】
【０００１】
本発明は、植物栽培培養液が収容可能なトレイと前記トレイの上部に載置される植物保持パネルとよりなる植物栽培用プランターを上下に複数段で配置し、植物培養液を上方の植物栽培用プランターから下方の植物栽培用プランターへ流す水耕栽培装置に用いられる水耕植物栽培用プランターに関する。
【背景技術】
【０００２】
植物栽培液を収容可能なトレイとトレイの上部に載置される定植パネルとからなる植物栽培用プランターをラック等に上下複数段で配置し、植物栽培液を上方の植物栽培用プランターから下方の植物栽培用プランターへ流れるようにした水耕栽培装置が提案されている。
【０００３】
従来のトレイ（ベッドとも称される）は、上方が開放された発泡スチロール製の容器からなる。また、従来の定植パネルは、発泡スチロールの板状体に複数の定植用孔が形成されたものからなる。前記定植パネルは、定植用孔に野菜等の植物の基部が配置保持されてトレイの側壁上端等に載置され、定植用孔に保持された植物の根がトレイ内の植物栽培液に届くようにされる。また、前記定植パネルは、定植用孔に保持されて成長した野菜等の植物が収穫等により定植用孔から抜き取られた後、再び次の栽培に使用される。
【０００４】
水耕栽培に使用されるプランターのトレイや定植パネルは、使用中にコケが発生しやすいため、及び衛生的な生育環境を維持するためなどから、定期的に高圧水を吹き付ける高圧洗浄が行われる。しかしながら、発泡スチロールからなるトレイ及び定植パネルは、発泡スチロールに起因する微細な凹凸が表面に存在するため、表面の微細な凹凸に汚れが入り込み、丁寧に洗っても汚れが取れなくなったり、微細な凹凸に入り込んで取れなくなった汚れなどによって細菌が繁殖しやすい問題がある。また、発泡スチロールからなるトレイや定植パネルは、使用中の劣化により脆くなるため、高圧水の吹きつけによる洗浄時に欠けたり、割れたりし易い問題がある。さらに、発泡スチロールは使用期間が長くなると、表面に触れた際に白い粉が付着したりするようになるため、発泡スチロールからなる定植パネルに定植された植物に白い粉が付着するおそれがある。そのため、発泡スチロール製のトレイ及び定植パネルの耐用期間が短く、コストが嵩む問題がある。
【０００５】
前記発泡スチロールの問題を解決するため、プラスチックの射出成形品によってトレイと定植パネルを形成すると、取り扱いに必要な剛性を持たせるには、トレイ及び定植パネルの肉厚を大にしなければならず、重くなったりコストが嵩むようになったりする問題がある。さらに、定植パネルの肉厚を薄くすると、使用時の剛性が不足して撓んだりするようになる問題の他に、植物育成時に定植パネルの上方に設けられる照明器具からの育成用照射光によって定植パネルの裏側の植物の根が存在する空間まで明るくなり、植物の育成に悪影響を与える問題も生じるようになる。
【先行技術文献】
【特許文献】
【０００６】
【特許文献１】特開平８−３３６３３７号公報
【特許文献２】特開平１０−１５５３７７号公報
【特許文献３】特開２００２−２７２２８９号公報
【特許文献４】特開２００６−１９７８４３号公報
【発明の概要】
【発明が解決しようとする課題】
【０００７】
本発明は前記の点に鑑みなされたものであって、表面に付着した汚れが取れやすく、耐久性に優れ、しかも洗浄時に欠け・割れ・表面の窪みを生じにくく、軽量で、植物の生育が良好な水耕栽培用プランターの提供を目的とする。
【課題を解決するための手段】
【０００８】
請求項１の発明は、植物栽培液が収容可能なトレイと前記トレイの上部に載置される定植パネルとよりなる水耕栽培用プランターにおいて、前記トレイは、プラスチックシートから形成され、底面と該底面の周縁から起立した側壁を有し、前記底面には上方へ向けて屈曲形成された複数のリブが設けられると共に、前記底面の縁に排水孔が形成され、前記定植パネルは、プラスチックシートから形成された上側シートと下側シートとが積層されて張り合わされた複合体で構成され、周縁で前記トレイの側壁上端に載置される大きさを有し、前記上側シートは、周縁が貼り合わせ用周縁部とされ、前記上側シートの貼り合わせ用周縁部よりも内側には、一端側に給水孔を有すると共に、複数位置に下方へ突出した定植用筒部が形成され、前記下側シートは、周縁に前記上側シートの貼り合わせ用周縁部と当接する下側シートの貼り合わせ用周縁部を有し、前記下側シートの貼り合わせ用周縁部で包囲された内側部分には、前記上側シートの給水孔の位置に給水用開口部が形成されると共に、前記給水用開口部を除く部分に下方へ窪んだ凹部が形成され、前記凹部の底面には、前記上側シートの前記定植用筒部と対応する複数位置に、上向きに突出して前記上側シートの下面と当接する天面に定植用筒部挿入孔を有する凸部が屈曲形成され、前記上側シートの前記定植用筒部が前記下側シートの凸部の天面における前記定植用筒部挿入孔に挿入され、前記下側シートの凸部の天面における前記定植用筒部挿入孔の周縁で前記上側シートの下面と接着されると共に、前記上側シートの貼り合わせ用周縁部と前記下側シートの貼り合わせ用周縁部が接着されていることを特徴とする。
【０００９】
請求項２の発明は、請求項１において、前記定植パネルが前記トレイに載置された際に、前記下側シートの凹部の底面が前記トレイの底面のリブの頂部と当接して支持されることを特徴とする。
【００１０】
請求項３の発明は、請求項１又は２において、前記定植パネルは、前記上側シートが白色からなり、前記下側シートが黒色からなることを特徴とする。
【００１１】
請求項４の発明は、請求項１から３の何れか一項において、前記トレイと前記上側シート及び前記下側シートには紫外線吸収剤と抗菌剤が含有されていることを特徴とする。
【００１２】
請求項５の発明は、請求項１から４の何れか一項において、前記トレイと前記上側シート及び前記下側シートは真空成形品からなることを特徴とする。
【発明の効果】
【００１３】
請求項１の発明によれば、トレイがプラスチックシートの成形品からなり、定植パネルがプラスチックシートの成形品からなる上側シートと下側シートを貼り合わせた複合体からなるため、発泡スチロールからなるものと比べて表面に微細な凹凸が無く汚れが付着し難い。しかも、発泡スチロールのように劣化によって白い粉を生じにくく、また洗浄時に欠け・割れ・表面の窪みを生じにくい。さらに、定植パネルは、上側シートと下側シートの貼り合わせ用周縁部が接着されると共に、下側シートの凸部の天面における定植用筒部挿入孔の周縁で上側シートの下面と接着されているため、肉厚が薄くても変形しにくく、剛性が高く、軽量性が良好であり、洗浄等の際に取り扱いが容易である。しかも、上側シートと下側シートの肉厚を大にしなくてもよいため、製品コストを抑えることができる。
【００１４】
請求項２の発明によれば、定植パネルはトレイに載置された際に、下側シートの凹部の底面がトレイの底面のリブの頂部と当接して支持されるため、水耕栽培用プランターの使用時に、定植用筒部に定植された植物などの重みで定植パネルが変形しにくく、定植パネルの上側シートと下側シートの肉厚を厚くしなくてもよいことから、定植パネルの軽量性が良好でしかも製品コストを抑えることができる。
【００１５】
請求項３の発明によれば、定植パネルの上方から受ける照射光を定植パネルにおける白色の上側シートで反射して定植パネル上方に位置する植物の葉に効率よく光を当てることができると共に、黒色の下側シートによって定植パネルの下方を暗くでき、定植パネルの下方に位置する植物の根の成長に良好な環境を形成することができ、植物の成長が良好になる。
【００１６】
請求項４の発明によれば、トレイと上側シート及び下側シートには紫外線吸収剤と抗菌剤が含有されているため、トレイと定植パネルの長期使用による劣化を防ぐことができると共に、長期使用によっても細菌の繁殖を抑え、衛生的な環境で植物を栽培することができる。
【００１７】
請求項５の発明によれば、トレイと上側シート及び下側シートが真空成形品からなるため、製造が容易で製品コストを抑えることができる。
【図面の簡単な説明】
【００１８】
【図１】本発明の一実施形態に係る水耕栽培用プランターの斜視図である。
【図２】同実施形態における定植パネルとトレイを分離した状態の斜視図である。
【図３】同実施形態における定植パネルを構成する上側シートと下側シートの斜視図である。
【図４】同実施形態における４Ａ−４Ａないし４Ｅ−４Ｅ断面図である。
【図５】同実施形態における５Ａ−５Ａないし５Ｅ−５Ｅ断面図である。
【図６】同実施形態における６Ａ−６Ａないし６Ｅ−６Ｅ断面図である。
【図７】同実施形態に係る水耕栽培用プランターの使用例を示す断面図である。
【発明を実施するための形態】
【００１９】
図１及び図２に示す本発明の一実施形態に係る水耕栽培用プランター１０は、トレイ１１と定植パネル３０とよりなる。
前記トレイ１１は、プラスチックシートの真空成形品からなり、図２に示すように、底面１２と該底面１２の周縁から起立した側壁１３とを有し、前記側壁１３で包囲されたトレイ内部２１に植物栽培液が収容可能となっている。前記トレイ１１は、本実施形態では、平面視略長方形からなる。前記トレイ１１を形成するプラスチックシートとしては、表面が平滑のものであり、例えばポリプロピレンシートを挙げることができる。またプラスチックシートの厚みは、例えば２〜４ｍｍ程度を挙げる。
【００２０】
また、図２及び図４の４Ｄ−４Ｄ断面図、図５の５Ｄ−５Ｄ断面図、図６の６Ｄ−６Ｄ断面図のように、前記トレイ１１の底面１２には上方へ向けて屈曲形成された複数の第１リブ１５及び第２リブ１７と排水孔２５が形成されている。
前記第１リブ１５は、前記トレイ１１の剛性を高めると共に、前記定植パネル３０が前記トレイ１１上に載置された際に、前記定植パネル３０における後述の下側シートの凹部の底面と当接して定植パネル３０を支持するようになっている。さらに前記第１リブ１５は、前記定植パネル３０が前記トレイ１１上に載置された際に、後述する定植パネル３０の定植用筒部間に位置し、定植用筒部に保持される植物の生長を妨げないように、定植用筒部の底面を塞がない位置になっている。さらに図示の例では、前記第１リブ１５は、前記トレイ１１の長さ方向Ｌに沿って、かつ前記トレイ１１の幅方向Ｗに所定間隔で複数本立設され、長さ方向両端１５Ａ、１５Ｂが、前記トレイ１１の長さ方向Ｌ両端の側壁１３Ａ、１３Ｂから所定距離離れて位置している。
【００２１】
一方、前記第２リブ１７は、前記第１リブ１５の一端１５Ａと該一端１５Ａに対して対向する前記トレイ１１の一側の側壁１３Ａとの間に位置し、前記第１リブ１５とは直角方向となる前記トレイ１１の幅方向Ｗに沿って所定間隔で複数形成されている。前記第２リブ１７間には隙間１８が形成されている。前記隙間１８の位置は、前記第１リブ１５の延長線上に位置するように設けられ、また隙間１８の大きさ、すなわち前記第２リブ１７の間隔は適宜決定されるが、例として３〜１０ｍｍ程度を挙げる。前記第２リブ１７の高さは、前記第１リブ１５の高さより所定距離低く、例えば１０ｍｍ低くされている。前記トレイ１１の底面１２において、前記第２リブ１７と前記トレイ１１の一側の側壁１３Ａとの間には、下方へ窪んだ排水用窪み部１９が前記トレイ１１の幅方向Ｗに沿って形成されている。前記排水用窪み部１９の底面は、前記幅方向Ｗの中央部が最低となるように傾斜して形成され、中央部に前記排水孔２５が下方へ突出した短筒状に形成されている。前記排水孔２５の径は適宜決定されるが、例として前記トレイ１１の内部における長さ方向Ｌの寸法が５５ｍｍ、幅方向Ｗの寸法が３７ｍｍ、深さ（高さ）が５０ｍｍの場合において、排水孔２５の内径２５ｍｍを挙げる。
【００２２】
前記トレイ１１においては、前記第２リブ１７と反対側の前記側壁１３Ｂとの間の空間にトレイ１１の上方から供給された植物栽培液は、前記第２リブ１７と反対側の前記側壁１３Ｂとの間の空間に滞留した後、前記第２リブ１７間の隙間１８を通って前記排水用窪み部１９に至り、さらに前記排水用窪み部１９の最も低い位置にある排水孔２５から流出する。その際、前記第２リブ１７と反対側の前記側壁１３Ｂとの間に収容される植物栽培液の高さは、最高でも前記第２リブ１７の高さであり、前記第２リブ１７の高さが前記第１リブ１５の高さよりも低くされているため、前記第１リブ１５の頂部と当接して支持される前記定植パネル３０の下面と植物栽培液の液面間に空気層が形成される。
【００２３】
前記トレイ１１の側壁１３の上端には、外方へ突出したフランジ部１４が形成されている。前記フランジ部１４は下向きの溝形状からなっている。前記フランジ部１４によって前記トレイ１１の剛性が高められている。
【００２４】
一方、前記定植パネル３０は、周縁が前記トレイ１１の側壁１３上端に載置される大きさを有し、図１〜図６に示すようにプラスチックシートから真空成形で形成された上側シート４１と下側シート５１とが積層され、接着により張り合わされた複合体で構成されている。図示の定植パネル３０は、前記トレイ１１の側壁１３上端に載置された際に、前記トレイ１１の上方全体を覆うことができる大きさの長方形となっている。前記上側シート４１と下側シート５１を構成するプラスチックシートとしては、表面が平滑のものであり、例えばポリプロピレンシートを挙げることができる。またプラスチックシートの厚みは、例えば０．５〜１．５ｍｍを挙げる
【００２５】
前記上側シート４１は、周縁が下側シートとの貼り合わせ用周縁部４１Ａとされている。また、図示の例では、長さ方向の一端側に一辺に沿って下方へ窪んだ給水孔用凹部４２が形成され、前記給水孔用凹部４２の底面４２Ａに給水孔４３が複数形成されている。前記給水孔４３は、前記定植パネル３０が前記トレイ１１の側壁１３上端に正しく載置された場合に、前記トレイ１１の第１リブ１５の一端１５Ｂと該一端１５Ｂと対向する前記トレイ１１の側壁１３Ｂとの間に位置するように形成されている。また、前記上側シート４１における前記給水用凹部４２と、該給水用凹部４２とは反対側の端部１３Ａとの間には、複数位置に下方へ突出した定植用筒部４５が屈曲により形成されている。前記定植用筒部４５は上面と下面が開口し、内径が上方から下方へ向けて小さくなっている。図４の４Ａ−４Ａ及び図６の６Ａ−６Ａ断面図に示す符号４５Ａは、前記定植用筒部４５の下端の開口部分を示す。前記定植用筒部４５は、前記定植パネル３０が前記トレイ１１の側壁１３上端に正しく載置された場合に、前記第１リブ１５の両端１５Ａ、１５Ｂ間にあり、かつ隣り合う前記第１リブ１５間に位置し、さらに前記定植用筒部４５の下端４６が前記第２リブ１７の頂部よりも上方に位置するように形成されている。前記定植用筒部４５には植物の基部が保持される。前記上側シート４１は、定植パネル３０の上方からの照明光を反射して定植パネル上の植物の葉に効率よく照射されるように白色とするのが好ましい。
【００２６】
前記下側シート５１は、周縁に前記上側シート４１の周縁と当接する貼り合わせ用周縁部５２を有し、前記貼り合わせ用周縁部５２で包囲された内側部分には、前記上側シート５１の給水用凹部４２と対応する位置に前記給水用凹部４２が嵌る給水用開口部５２Ａが形成され、前記給水用開口部５２Ａを除く部分に下方へ窪んだ凹部５３が形成され、前記凹部５３の底面５４には、前記上側シート４１の前記定植用筒部４５と対応する複数位置に、上向きに突出して前記上側シート４１の下面４７と当接する天面５７に定植用筒部挿入孔５８を有する凸部５６が屈曲形成されている。前記下側シート５１は、定植パネル３０の下方に突出する植物の根の成長を良好とするため、光を通しにくい黒色とするのが好ましい。
【００２７】
前記上側シート４１と下側シート５１は、前記上側シート４１の前記定植用筒部４５が前記下側シート５１の凸部５６の天面５７における前記定植用筒部挿入孔５８に挿入され、前記上側シート４１周縁の貼り合わせ用周縁部４１Ａと前記下側シート５１周縁の貼り合わせ用周縁部５２が接着されると共に、前記下側シート５１の凸部５６の天面５７における前記定植用筒部挿入孔５８の周縁で前記上側シート４１の下面４７と接着される。
【００２８】
前記トレイ１１と前記定植パネル３０を構成するプラスチックシートは、真空成形可能なプラスチックであれば特に限定されないが、特にポリプロピレンが好ましい。また、前記トレイ１１及び前記定植パネル３０を構成するプラスチックシートは、長期使用による劣化を抑えるための紫外線吸収剤と、細菌の増殖を抑えるための抗菌剤を含むのが好ましい。
【００２９】
前記水耕栽培用プランター１０は、使用時に前記定植パネル３０の給水孔４３が、前記トレイ１１の第１リブ１５の一端１５Ｂと該一端１５Ｂと対向する前記トレイ１１の側壁１３Ｂとの間に位置するようにして、図４の４Ｅ−４Ｅ断面図、図５の５Ｅ−５Ｅ断面図、図６の６Ｅ−６Ｅ断面図に示すように前記定植パネル３０が前記トレイ１１の側壁１３上端に載置される。前記定植パネル３０が前記トレイ１１の側壁１３上端に載置された状態では、図５の５Ｅ−５Ｅ断面図及び図６の６Ｅ−６Ｅ断面図のように、前記定植パネル３０の下側シート５１における凹部５３の底面５４が前記トレイ１１の底面の第１リブ１５の頂部と当接して支持される。
【００３０】
前記水耕栽培用プランター１０は、水耕栽培時、図７に示すように、前記定植パネル３０の定植用筒部４５には野菜等の植物Ｐが植え付けられた状態でラック６１の上下複数の棚６３、６５に載置されて上下複数段で配置され、上の段に位置する水耕栽培用プランター１０Ａにおけるトレイ１１の排水孔２５には、下の段に位置する水耕栽培用プランター１０Ｂの給水用凹部４２上に至る給水連結パイプ７１が接続される。そして、最上段の水耕栽培用プランター１０Ａにおける定植パネル３０の前記給水用凹部４２に上方から植物栽培液Ｆを供給する。また、各段における水耕栽培用プランターの上方には照明器具（図示せず）が設けられ、前記照明器具により各水耕栽培用プランターの植物の育成に必要な光線を照射するようになっている。
【００３１】
前記最上段の水耕栽培用プランター１０Ａにおける定植パネル３０の給水用凹部４２に供給された植物栽培液Ｆは、前記給水用凹部４２の底面に形成されている前記吸水孔４３を通って前記トレイ１１内の前記給水用凹部４２側の側壁１３Ｂと前記第２リブ１７間に滞留し、前記第２リブ１７間の前記隙間１８を通って徐々に前記第２リブ１７と側壁１３Ａ間に至り、前記排水孔２５から給水連結パイプ７１を通って下段の水耕栽培用プランター１０Ｂにおける定植パネル３０の給水用凹部４２に供給される。前記定植パネル３０の定植用筒部４５に保持された植物Ｐの根は、前記定植用筒部４５の底部から下方へ伸び、前記トレイ１１内の前記給水用凹部４２側の側壁１３Ｂと前記第２リブ１７間に滞留している植物栽培液Ｆに浸かる。また、前記トレイ１１内の前記給水用凹部４２側の側壁１３Ｂと前記第２リブ１７間に滞留している植物栽培液Ｆの最高水位は前記第２リブ１７の頂部の位置であり、前記第２リブ１７の頂部よりも上方に前記定植用筒部４５の下端が位置するため、前記定植用筒部４５の下端と前記植物栽培液Ｆの上面間に空間層が形成され、植物が良好な環境で育成することができる。
【００３２】
前記水耕栽培用プランター１０は、所定期間使用された後、前記トレイ１１及び定植パネル３０が洗浄されて再び使用される。前記トレイ１１及び定植パネル３０がプラスチックシートからなり、発泡スチロールのような微細な凹凸が表面にないため、洗浄により汚れが取れやすく、清潔を維持することができる。また、高圧洗浄水を前記トレイ１１及び定植パネル３０に当てて洗浄しても、発泡スチロール製とは異なり、前記トレイ１１及び定植パネル３０が欠けたり割れたり、表面に窪みを生じたりし難く、耐久性が良好である。しかも、前記トレイ１１及び定植パネル３０のプラスチックシートはリブや凹部によって剛性が高められているため、プラスチックシートの厚みを適度に薄くしても剛性が得られることから、前記トレイ１１及び定植パネル３０は軽量であり、ラックへの配置や洗浄等の際の取り扱いが容易である。
【００３３】
なお、前記の例においては、各トレイに一つの定植パネルを載置しているが、トレイのサイズ大きい場合には、一つのトレイに二つ以上の定植パネルを並べて載置するようにしてもよい。
【符号の説明】
【００３４】
１０、１０Ａ、１０Ｂ  植物栽培用プランター
１１  トレイ
１２  底面
１３  側面
１５  第１リブ
１２  第２リブ
２５  排水孔
３０  定植パネル
４１  上側シート
４１Ａ  貼り合わせ用周縁部
４３  給水孔
４５  定植用筒部
４７  上側シートの下面
５１  下側シート
５２  貼り合わせ用周縁部
５２Ａ  給水用開口部
５３  凹部
５４  凹部の底面
５６  下側シートの凸部
５７  凸部の天面
５８  定植用筒部挿入孔
【図１】
0005647920.tif 000002
【図２】
0005647920.tif 000003
【図３】
0005647920.tif 000004
【図４】
0005647920.tif 000005
【図５】
0005647920.tif 000006
【図６】
0005647920.tif 000007
【図７】
0005647920.tif 000008